(57)【要約】【課題】  収納スペースを効率よく活用して、折り畳み椅子を整然とコンパクトに収納し得て、見た目の印象も良く、さらに、折り畳み椅子を収納場所から容易に搬送させることができる椅子掛け装置を提供することを目的とする。【解決手段】  折り畳み状態の折り畳み椅子５を鉛直面吊持状として掛けるハンガー棒体１を、車輪９を有する手押走行本体２に、略水平状として備えている。また、ハンガー棒体１は、その後端部11が手押走行本体２から前方へ延伸状に付設されている。【選択図】  図２
0003110563.tif 000002
【実用新案登録請求の範囲】
【請求項１】
折り畳み状態の折り畳み椅子（５）を鉛直面吊持状として掛けるハンガー棒体（１）を、車輪（９）を有する手押走行本体（２）に、略水平状として備えていることを特徴とする椅子掛け装置。
【請求項２】
上記ハンガー棒体（１）は、その後端部（11）が上記手押走行本体（２）から前方へ延伸状に付設されている請求項１記載の椅子掛け装置。
【請求項３】
上記ハンガー棒体（１）は、相互に所定間隔をもって離間して配設される一対の棒体（１Ａ)(１Ｂ）から成り、
該一対の棒体（１Ａ)(１Ｂ）は、平行かつ同じ高さ位置に配設される請求項１又は２記載の椅子掛け装置。
【請求項４】
上記手押走行本体（２）は、上記ハンガー棒体（１）に吊持状に掛けられた折り畳み椅子（５）の左右両側に対向するように配設された左右一対の鉛直面状側板部（10)(10）または左右一対の鉛直面形成枠体を有する請求項１，２又は３記載の椅子掛け装置。
【請求項５】
上記ハンガー棒体（１）は、その前端近傍に、前方斜め上方へ折り曲げる折曲部（15）をもって、吊持状に掛けられた折り畳み椅子（５）を前方へ落とさず保持する落ち止め部（４）が形成された請求項１，２，３又は４記載の椅子掛け装置。
【請求項６】
折り畳み状態の折り畳み椅子（５）を鉛直面状として載置する底板部（31）と、上記鉛直面状の折り畳み椅子（５）が前後方向に傾斜しようとすると吊り下げ状として掛かる前方略水平状に延伸した倒れ止め棒体（35）とを、車輪（９）を有する手押走行本体（２）に、備えていることを特徴とする椅子掛け装置。
【考案の詳細な説明】
【技術分野】
【０００１】
本考案は、折り畳み椅子を収納する椅子掛け装置に関するものである。
【背景技術】
【０００２】
折り畳み椅子として、上端に背もたれ部を有し斜め下前方へ延伸する前脚フレーム枠体と、この前脚フレーム枠体の上下中間部に枢着される上端部を有すると共に斜め下後方へ延伸する後脚フレーム枠体と、上記前脚フレーム枠体及び後脚フレーム枠体の上下中間部に枢着され水平状に保持される座部と、を有し、折り畳まれると、上記背もたれ部，両フレーム枠体，座部が略面一状となるものがある（例えば、特許文献１参照）。
そして、未使用時には、折り畳み椅子を折り畳んで壁等に重ねてもたれ掛けさせたり、床面上に水平状に積み重ねたり、あるいは、収納箱の中に入れて、重ねて収納しておく方法等が知られている。
【特許文献１】特開平８−１８２５６５号公報
【考案の開示】
【考案が解決しようとする課題】
【０００３】
しかし、壁等にもたれ掛けさせただけでは、バランスが悪いので床面を滑って崩れ易く、床面上に積み重ねただけでも崩れやすい。
しかも両者とも、整然としていないので見た目の印象が悪く、また、収納場所から設置場所に運搬する際、手で持って運んだり、あるいは台車に乗せる作業をしていると、多くの手間と労力を要する。
【０００４】
そこで、本考案は、収納スペースを効率よく活用して、折り畳み椅子を整然と（コンパクトに）収納し得て、見た目の印象も良く、さらに、折り畳み椅子を収納場所から容易に搬送させることができる椅子掛け装置を提供することを目的とする。
【課題を解決するための手段】
【０００５】
上記の目的を達成するために、本考案に係る椅子掛け装置は、折り畳み状態の折り畳み椅子を鉛直面吊持状として掛けるハンガー棒体を、車輪を有する手押走行本体に、略水平状として備えている。
【０００６】
また、上記ハンガー棒体は、その後端部が上記手押走行本体から前方へ延伸状に付設されている。
また、上記ハンガー棒体は、相互に所定間隔をもって離間して配設される一対の棒体から成り、該一対の棒体は、平行かつ同じ高さ位置に配設される。
【０００７】
また、上記手押走行本体は、上記ハンガー棒体に吊持状に掛けられた折り畳み椅子の左右両側に対向するように配設された左右一対の鉛直面状側板部または左右一対の鉛直面形成枠体を有する。
さらに、上記ハンガー棒体は、その前端近傍に、前方斜め上方へ折り曲げる折曲部をもって、吊持状に掛けられた折り畳み椅子を前方へ落とさず保持する落ち止め部が形成されている。
【０００８】
あるいは、椅子掛け装置が、折り畳み状態の折り畳み椅子を鉛直面状として載置する底板部と、上記鉛直面状の折り畳み椅子が前後方向に傾斜しようとする吊り下げ状として掛かる前方略水平状に延伸した倒れ止め棒体とを、車輪を有する手押走行本体に、備えている。
【考案の効果】
【０００９】
本考案は、次のような著大な効果を奏する。
多数の折り畳み椅子を、ハンガー棒体に吊り下げることよって無駄な隙間無く１列に並べて、コンパクトかつバランス良く収納できる。そして、吊り下げられた折り畳み椅子は、安定しており、崩れたり倒れる等の虞れがない。かつ、見た目もすっきりとしており、整然と片付けられている良い印象を与える。また、設置場所も多く要さず至便である。
さらに、折り畳み椅子を、吊り下げた収納状態のまま搬送することができるので、収納場所から設置場所へ搬送したり、あるいは反対に設置場所から回収して収納場所へ搬送する作業が非常に楽である。
【考案を実施するための最良の形態】
【００１０】
以下、実施の形態を示す図面に基づき、本考案を詳説する。
図１，図２に示したように、本考案に係る椅子掛け装置は、折り畳み状態の折り畳み椅子５を鉛直面吊持状として掛けるハンガー棒体１を、車輪９を有する手押走行本体２に、略水平状として備えたものである。
【００１１】
具体的には、手押走行本体２は、左右に所定間隔をもって配設される一対の鉛直起立状縦フレーム部21，21と、縦フレーム部21，21の上端19，19と下端20，20同士を連結する連結横フレーム23，23と、縦フレーム部21，21の下端20，20に夫々付設されて前後端に床面Ｇ上を転がる車輪９…を有する前後方向延伸状脚フレーム８，８と、を備える。
そして、上記ハンガー棒体１は、一対の棒体１Ａ，１Ｂから成り、一対の棒体１Ａ，１Ｂは、その後端部11，11が、手押走行本体２の一対の縦フレーム部21，21の上端19，19と下端20，20の中間の同じ高さ位置の箇所に、前方へ延伸状として付設される。
この棒体１Ａ，１Ｂは、相互に平行であり、各々、片持梁状に前方へ延設される。
また、ハンガー棒体１のうち後端部11寄りの箇所と、上記縦フレーム部21のうちハンガー棒体１との接続部より下側かつ近傍の箇所とが、傾斜補強フレーム14にて連結されている。この補強フレーム14により、ハンガー棒体１は、多数の折り畳み椅子５…が吊持状に掛けられた場合でも、その荷重によって後端部11付近から折れ曲がる虞れがない。
【００１２】
ハンガー棒体１は、その前端近傍に、折曲部15をもって、吊持状に掛けられた折り畳み椅子５を前方へ落とさず保持する落ち止め部４が、形成されている。この落ち止め部４は、ハンガー棒体１の前端近傍が、折曲部15により、水平面より鋭角度をもって前方斜め上方へ延伸するように、形成されたものであったり（図１（ａ）参照）、あるいは、ハンガー棒体１の前端近傍が、折曲部15にて、上方へ円弧状となるように、形成されたものである（図１（ｂ）参照）。
【００１３】
次に、図３，図４に示す椅子掛け装置は、折り畳み状態の折り畳み椅子５を鉛直面吊持状として掛けるハンガー棒体１を、車輪９を有する手押走行本体２に、略水平状として備える。かつ、手押走行本体２は、折り畳み椅子５の左右両側に対向するように配設された左右一対の鉛直面状側板部10，10を有する。
具体的には、手押走行本体２は、左右に所定間隔をもって配設される鉛直起立状の一対の縦フレーム部21，21と、縦フレーム部21，21の上端19，19と下端20，20同士を連結する連結横フレーム23，23と、縦フレーム部21，21の下端20，20に夫々付設されて前後端に車輪９…を有する前後方向延伸状脚フレーム８，８と、を備える。さらに、手押走行本体２は、一対の縦フレーム部21，21の間を連結する上下２本の水平横フレーム部22，22を、有しており、この横フレーム部22，22は、上端19，19と下端20，20の中間位置に配設される。
そして、１本のハンガー棒体１が、その後端部11が上側の横フレーム部22の左右中央部に（片持梁状に）付設されて、前方へ延伸状である。かつ、ハンガー棒体１のうち後端部11寄りの箇所と、下側の横フレーム部22の左右中央部とが、傾斜補強フレーム14にて連結される。
【００１４】
次に、上記左右一対の鉛直面状側板部10，10は、手押走行本体２の縦フレーム部21，21及び脚フレーム８，８の夫々の左右外側辺に沿って付設され、共に、ハンガー棒体１と平行となるように配設される。側板部10，10は、その上方辺部がハンガー棒体１の配設される位置よりも上方となり、その前方辺部がハンガー棒体１の前端部よりも前方になるように、構成されるのが望ましい。
ハンガー棒体１は、図１，図２で上述したものと同様の落ち止め部４が形成される。
また、図示省略するが、図３，図４に示す椅子掛け装置は設計変更自由であり、上記水平横フレーム部22，22に、一対の棒体１Ａ，１Ｂが、相互に平行に、かつ所定間隔をもって、前方へ略水平状に延伸して付設されてもよい。このように構成することで、折り畳み椅子５が、安定して吊持状に掛けられると共に、横方向へ揺れるのを防止され、かつ、横方向へのずれを起こさない。
【００１５】
なお、図示省略するが、上記左右一対の鉛直面状側板部10，10に代えて、左右一対の鉛直面形成枠体が、上記縦フレーム部21，21及び脚フレーム８，８の夫々の左右外側辺に沿って付設されるのもよい。
具体的には、この鉛直面形成枠体は、上下方向に所定間隔をもって複数本配設される前後方向延伸状水平棒部と、水平棒部の前後に於て端部同士を上下方向に連結する縦棒部と、から成る。または、この鉛直面形成枠体は、前後方向かつ鉛直起立状の矩形枠部と、斜め方向に所定間隔をもって該矩形枠部の内部に複数本配設される斜め棒部と、から成るのもよい。あるいは、該矩形枠部の内部に複数本の縦棒部と横棒部が配設されたものであったり、複数本の斜め棒部がクロス状に配設されたものであってもよい。
【００１６】
次に、図５，図６に示す椅子掛け装置は、折り畳み状態の折り畳み椅子５を鉛直面状として載置する底板部31と、鉛直面状の折り畳み椅子５が前後方向に傾斜しようとすると吊り下げ状として掛かる前方略水平状に延伸した倒れ止め棒体35とを、車輪９…を有する手押走行本体２に、備えている。
具体的には、手押走行本体２は、左右に所定間隔をもって配設される鉛直起立状の一対の縦フレーム部21，21と、縦フレーム部21，21の上端19，19と下端20，20同士を連結する連結横フレーム23，23と、縦フレーム部21，21の下端20，20に夫々付設されて前後端に車輪９，９を有する前後方向延伸状脚フレーム８，８と、を備える。
【００１７】
さらに、椅子掛け装置は、縦フレーム部21，21の前側部に付設された左右方向鉛直面状の後板部33と、後板部33の左右端辺から前方へ延設された左右一対の鉛直面状側板部32，32と、側板部32，32の下端辺に沿ってかつ後板部33の下端辺から前方へ延設されて上記脚フレーム８，８の上部に固設された底板部31と、を備える。
換言すれば、椅子掛け装置は、縦フレーム部21，21の前側部及び脚フレーム８，８の上側部に固設される前方及び上方開口状の保持箱体30を有し、この保持箱体30は、鉛直面状の後板部33と、鉛直面状側板部32，32と、水平面状底板部31と、を備えるものである。
そして、１本の倒れ止め棒体35が、その後端部が上記後板部33の左右中央及び上下中間位置に（片持ち梁状に）付設されて、前方へ略水平状に延伸している。
かつ、倒れ止め棒体35の取付高さ位置は、折り畳み状態の折り畳み椅子５を鉛直面状として底板部31の上面に載置した際に、倒れ止め棒体35と背もたれ部６の下端とが僅かなギャップ（隙間）Ｓをもって離間するように、設定される。さらに、倒れ止め棒体35を後板部33に取付取外し自在として構成し、倒れ止め棒体35の高さ位置を、収納する折り畳み椅子５の形状に応じて、設定するようにしてもよい。さらに、側板部32，32の高さを、折り畳み椅子５の形状に応じて、増減させて設定してもよい。この場合、側板部32，32は、左右方向にスライドした折り畳み椅子５に当接して保持できる程度の高さであってよい。
倒れ止め棒体35の（前方の）先端部は、図１，図２で説明したと同様の落ち止め部４が、形成される。
【００１８】
次に、上記椅子掛け装置の作用（使用方法）について説明する。
折り畳み椅子５の一例として、図２，図４に示すように、背もたれ部６と座部16がパイプ材から成るフレーム７に取り付けられ、折り畳み展開自在に構成されたものとする。
図１，図２に於て、折り畳んだ折り畳み椅子５の背もたれ部６側を上にして、その背もたれ部６を、一対の棒体１Ａ，１Ｂに横架状に掛ける。複数の折り畳み椅子５…を掛ける際には、棒体１Ａ，１Ｂに、後端部11，11側から前端近傍へと、順に掛けていく。あるいは、フレーム７のうち脚部を構成する部分を上にして、その部分を棒体１Ａ，１Ｂに横架状に掛けてもよい。
そして、椅子掛け装置に折り畳み椅子５…を掛けたまま、収納場所に保管したり、手押走行本体２の上側連結横フレーム23や縦フレーム部21を把持し押して、設置場所への搬送を行う。
【００１９】
図３，図４に於ては、折り畳み椅子５…を、１本のハンガー棒体１に、後端部11，11側から前端近傍へと、順に掛けていく。
折り畳み椅子５…は、側板部10，10の間に保持されるので、折り畳み椅子５の下側側部がその内面に当接し、横方向に傾くことなく鉛直状に保持され、また搬送中には、横方向への揺れが防止される。
側板部10，10の内面に、衝撃を吸収するクッション材を付設すれば、折り畳み椅子５の損傷を防ぐことも可能である。
また、ハンガー棒体１に掛けられた折り畳み椅子５のうち最前のものが、ハンガー棒体１の前端近傍に形成された落ち止め部４に係止する。よって、（例えば搬送中に）前方へ滑ってハンガー棒体１から外れる等の虞れがない。
【００２０】
また、図５，図６に於て、背もたれ部６を倒れ止め棒体35の上方に通して、折り畳み椅子５…を、後板部33側から前方側へと順に、底板部31の上に鉛直起立状に載置する。
このように底板部31の上に載置するので、搬送中、折り畳み椅子５…が揺れたりせず、安定して保持できる。しかも、折り畳み椅子５…が、鉛直起立状態から前後方向に傾斜しようとすると、背もたれ部６が倒れ止め棒体35に吊り下げ状として掛かり、倒れずに保持される。つまり、上記倒れ止め棒体35は、折り畳み状態の折り畳み椅子５の、（鉛直面状から）前後方向への転倒防止用である。
【００２１】
以上のように、本考案に係る椅子掛け装置は、折り畳み状態の折り畳み椅子５を鉛直面吊持状として掛けるハンガー棒体１を、車輪９を有する手押走行本体２に、略水平状として備えているので、多数の折り畳み椅子５…を、ハンガー棒体１によって１列に重ねてコンパクトに収納できて、バランスが良く、崩れる等の虞れもない。かつ、見た目もすっきりとしており、整然と片付けられている良い印象を与える。また、設置場所も多く要さず至便である。さらに、吊り下げた収納状態のまま搬送することができるので、折り畳み椅子５…を収納場所から設置場所へ搬送したり、あるいは反対に設置場所から回収して収納場所へ搬送する作業が非常に楽である。  
【００２２】
また、ハンガー棒体１は、その後端部11が手押走行本体２から前方へ延伸状に付設されているので、ハンガー棒体１の前方側から、折り畳み椅子５を出し入れし易い。また、折り畳み椅子５…は、手押走行本体２の前側に於て保持される（掛けられる）ので、手押走行本体２を後方から手押しすることができ、搬送し易く至便である。
【００２３】
さらに、ハンガー棒体１は、相互に所定間隔をもって離間して配設される一対の棒体１Ａ，１Ｂから成り、一対の棒体１Ａ，１Ｂは、平行かつ同じ高さ位置に配設されるので、折り畳み椅子５を一対の棒体１Ａ，１Ｂに横架状に掛けることによって、鉛直状に保持することができる。かつ、搬送中に揺れず、鉛直状に保たれるので、スムースに搬送できる。
【００２４】
また、手押走行本体２は、ハンガー棒体１に吊持状に掛けられた折り畳み椅子５の左右両側に対向するように配設された左右一対の鉛直面状側板部10，10または左右一対の鉛直面形成枠体を有するので、ハンガー棒体１が１本であっても、吊り下げられた折り畳み椅子５は、下側側部が側板部10，10または左右一対の鉛直面形成枠体の内面に当接してガードされるので、横方向に傾かずに鉛直状に保持される。搬送中でも、横方向への揺れが防止されるので、スムースに搬送できる。
【００２５】
また、ハンガー棒体１は、その前端近傍に、前方斜め上方へ折り曲げる折曲部15をもって、吊持状に掛けられた折り畳み椅子５を前方へ落とさず保持する落ち止め部４が形成されているので、ハンガー棒体１に掛けられた折り畳み椅子５のうち最前のものを、落ち止め部４が確実に係止する。よって、（例えば搬送中に）折り畳み椅子５が前方へ滑ってハンガー棒体１から外れる等の虞れがない。
【００２６】
あるいは、椅子掛け装置は、折り畳み状態の折り畳み椅子５を鉛直面状として載置する底板部31と、鉛直面状の折り畳み椅子５が前後方向に傾斜しようとすると吊り下げ状として掛かる前方略水平状に延伸した倒れ止め棒体35とを、車輪９を有する手押走行本体２に、備えているので、折り畳み椅子５…を底板部31の上に安定して載置でき、かつ、傾斜しようとすると倒れ止め棒体35に吊り下げ状として掛かるので、崩れる虞れもない。また、多数の折り畳み椅子５…を、１列に重ねてコンパクトに収納できるので、見た目もすっきりとしており、整然と片付けられている良い印象を与える。また、設置場所も多く要さず至便である。
また、折り畳み椅子５を、倒れ止め棒体35の前方側から出し入れし易く、しかも、手押走行本体２を後方から手押しすることができるので、折り畳み椅子５…を収納場所から設置場所へ搬送したり、あるいは反対に設置場所から回収して収納場所へ搬送する作業を、非常にスムースに行い得る。
【図面の簡単な説明】
【００２７】
【図１】本考案に係る椅子掛け装置の実施の一形態を示す斜視図である。
【図２】斜視図である。
【図３】本考案に係る椅子掛け装置の他の実施の形態を示す斜視図である。
【図４】正面図である。
【図５】本考案に係る椅子掛け装置の別の実施の形態を示す斜視図である。
【図６】正面図である。
【符号の説明】
【００２８】
１  ハンガー棒体
１Ａ，１Ｂ  棒体
２  手押走行本体
４  落ち止め部
５  折り畳み椅子
９  車輪
10  側板部
11  後端部
15  折曲部
31  底板部
35  倒れ止め棒体
【図１】
0003110563.tif 000003
【図２】
0003110563.tif 000004
【図３】
0003110563.tif 000005
【図４】
0003110563.tif 000006
【図５】
0003110563.tif 000007
【図６】
0003110563.tif 000008